(57)【要約】本発明は、靴（１）、特に運動靴であって、靴上側部分（２）が設けられており、該靴上側部分（２）が、甲の領域（３）にタン（４）を有している形式のものに関する。このような形式の靴（１）は、結紐作業を避けて靴を履いたり脱いだりすることができ、にもかかわらず、足に対する靴（１）の可能な限り最良の保持が付与されているように改善されることが望ましい。このことは、タン（４）と、靴上側部分（２）の、タン（４）の側方に配置された領域（５，６）とが、面状に形成された少なくとも１つの伸び弾性的な部分（７，８）を介して結合されており、靴上側部分（２）の、タン（４）の側方に配置された両領域（５，６）が、少なくとも２つの締付けバンド（９，９′，９′′，９′′′，９′′′′）によって互いに結合されていることによって達成される。
2005526544.tif 000002
【特許請求の範囲】
【請求項１】
靴（１）、特に運動靴であって、靴上側部分（２）が設けられており、該靴上側部分（２）が、甲の領域（３）にタン（４）を有している形式のものにおいて、
タン（４）と、靴上側部分（２）の、タン（４）の側方に配置された領域（５，６）とが、面状に形成された少なくとも１つの伸び弾性的な部分（７，８）を介して結合されており、
靴上側部分（２）の、タン（４）の側方に配置された両領域（５，６）が、少なくとも２つの締付けバンド（９，９′，９′′，９′′′，９′′′′）によって互いに結合されていることを特徴とする、靴。
【請求項２】
少なくとも２つの締付けバンド（９，９′，９′′，９′′′，９′′′′）が、タン（４）の上面にわたって張設されている、請求項１記載の靴。
【請求項３】
少なくとも２つの締付けバンド（９，９′，９′′，９′′′，９′′′′）が、タン（４）の下面に延びている、請求項１記載の靴。
【請求項４】
少なくとも２つの締付けバンド（９，９′，９′′，９′′′，９′′′′）が、タン（４）の下面とクッション層との間に配置されている、請求項３記載の靴。
【請求項５】
タン（４）と靴上側部分（２）の側方の領域（５，６）との間にそれぞれ１つの伸び弾性的な部分（７，８）が配置されている、請求項１から４までのいずれか１項記載の靴。
【請求項６】
伸び弾性的な両部分（７，８）が、一貫して延びる弾性的なバンド（１０）によって形成されるようになっており、該バンド（１０）が、タン（４）の側方の領域（５，６）で靴上側部分（２）に配置されていて、タン（４）にその面状の領域（１１）を介して固く結合されている、請求項５記載の靴。
【請求項７】
弾性的なバンド（１０）が、その上面（１２）でタン（４）の下面に結合されている、請求項６記載の靴。
【請求項８】
タン（４）に締付けバンド（９，９′，９′′，９′′′，９′′′′）のための少なくとも１つのガイドエレメント（１３）が配置されている、請求項１から７までのいずれか１項記載の靴。
【請求項９】
ガイドエレメント（１３）が、ループとして形成されている、請求項８記載の靴。
【請求項１０】
各締付けバンド（９，９′，９′′，９′′′，９′′′′）が、少なくとも１つの固有のガイドエレメント（１３）を有している、請求項８または９記載の靴。
【請求項１１】
各締付けバンド（９，９′，９′′，９′′′，９′′′′）に対して２つのガイドエレメント（１３）が、タン（４）に設けられており、両ガイドエレメント（１３）が、当該靴（１）の中心軸線（１４）に対してほぼ対称的に配置されている、請求項８から１０までのいずれか１項記載の靴。
【請求項１２】
伸び弾性的な各部分（７，８）に対して、各締付けバンド（９，９′，９′′，９′′′，９′′′′）のための１つのガイドエレメント（１３）が割り当てられている、請求項８から１０までのいずれか１項記載の靴。
【請求項１３】
少なくとも１つのガイドエレメント（１３）が、タン（４）の上面に配置されている、請求項８から１２までのいずれか１項記載の靴。
【請求項１４】
締付けバンド（９，９′，９′′，９′′′，９′′′′）が、ほぼタン（４）の全領域を締め付けるようになっている、請求項１から１３までのいずれか１項記載の靴。
【請求項１５】
５つの締付けバンド（９，９′，９′′，９′′′，９′′′′）が設けられている、請求項１から１４までのいずれか１項記載の靴。
【請求項１６】
タン（４）が、革、擬革、プラスチック、繊維材料または前記材料の組合せから成っている、請求項１から１５までのいずれか１項記載の靴。
【請求項１７】
少なくとも１つの伸び弾性的な部分が、革、擬革、プラスチック、繊維材料または前記材料の組合せから成っている、請求項１から１６までのいずれか１項記載の靴。
【請求項１８】
締付けバンド（９，９′，９′′，９′′′，９′′′′）が、ゴム材料から成っている、請求項１から１７までのいずれか１項記載の靴。
【請求項１９】
締付けバンド（９，９′，９′′，９′′′，９′′′′）が、エラストマ、たとえばブタンゴム、ネオプレン、ポリウレタンまたはシリコーンから成っている、請求項１から１７までのいずれか１項記載の靴。
【発明の詳細な説明】
【技術分野】
【０００１】
本発明は、靴、特に運動靴であって、靴上側部分が設けられており、該靴上側部分が、甲の領域にタンを有している形式のものに関する。
【０００２】
このような形式の靴は、公知先行技術において十分公知である。通常、靴は、足を滑り込ませた後に靴紐によって締め付けられ、これによって、靴が確実に足にフィットする。
【０００３】
靴紐を不要にして、靴上側部分の甲領域が弾性的に形成されている解決手段も公知であり、これによって、結紐（けっちゅう）作業なしに靴を迅速に履いたり脱いだりすることができる。
【０００４】
この場合、足に対する靴の保持が、ここでは、制限されてしか付与されていないという欠点がある。このことは、特に運動時に靴が容易に不本意に足から脱げ得る危険を招く。
【０００５】
ヨーロッパ特許出願公開第０２８３４１９号明細書には、運動靴の靴構想が開示されている。この靴構想では、甲領域に面状の伸び弾性的なバンドが設けられている。このバンドは両側で靴上側部分の、隣接する区分に配置されている。しかし、この運動靴にも、運動靴が比較的容易に不本意に足から脱げ得るという欠点がある。
【０００６】
スイス連邦共和国特許第４８３３６号明細書に基づき、タン領域にわたって張設された複数の締付けバンドを有する靴が公知である。しかし、タン領域は、締付け力を加えることができないように形成されているので、この靴も、足からの不本意な脱離を阻止するためには、制限された能力しか有していない。
【０００７】
ドイツ連邦共和国特許出願公開第４４４７２６７号明細書による解決手段では、２つの締付けバンドが設けられている。両締付けバンドは面ファスナによって位置固定される、すなわち、固有の弾性的な締付け作用を有していない。靴を履いた後、両締付けバンドは面ファスナを介して位置固定されなければならない。これによって、時として欠点となるある程度の手間が、靴を履く場合に生ぜしめられる。
【０００８】
したがって、本発明の課題は、冒頭で述べた形式の靴、特に運動靴を改良して、結紐作業を避けて靴を履いたり脱いだりすることができ、にもかかわらず、足に対する靴の可能な限り最良の保持が付与されているようにすることである。
【０００９】
この課題は、本発明によれば、タンと、靴上側部分の、タンの側方に配置された領域とが、面状に形成された少なくとも１つの伸び弾性的な部分を介して結合されており、靴上側部分の、タンの側方に配置された両領域が、少なくとも２つの締付けバンドによって互いに結合されていることによって解決される。
【００１０】
すなわち、本発明による靴のタンは少なくとも伸び弾性的な部分によって、靴上側部分の、タンに側方で隣接した縁部に結合されている。この場合、靴の確実なフィットのために必要となる締付け力は少なくとも２つの締付けバンドによって加えられる。
【００１１】
第１の改良形によれば、少なくとも２つの締付けバンドが、タンの上面にわたって張設されていてよい。しかし、これに対して択一的には、少なくとも２つの締付けバンドが、タンの下面に延びていることも可能である。この場合、締付けバンドが、タンの下面と、足に対してタンにクッション性を付与するクッション層との間に配置されていてよい。
【００１２】
１つの改良形によれば、タンと靴上側部分の側方の領域との間にそれぞれ１つの伸び弾性的な部分が配置されている。すなわち、この場合、タンが中心で靴上側部分に装着されていて、両側でそれぞれ１つの伸び弾性的な部分を介して靴上側部分の縁部に結合されている。
【００１３】
前述した構成によれば、伸び弾性的な両部分が、一貫して延びる弾性的なバンドによって形成されるようになっており、該バンドが、タンの側方の領域で靴上側部分に配置されていて、タンにその面状の領域を介して固く結合されていると、製造技術的に特に簡単な製作が可能となる。この場合、特に弾性的なバンドが、その上面でタンの下面に結合されていてよい。
【００１４】
タンに締付けバンドのための少なくとも１つのガイドエレメントが配置されていると有利である。この場合、ガイドエレメントが、ループとして形成されていてよい。このループを通して締付けバンドがガイドされている。各締付けバンドが、少なくとも１つの固有のガイドエレメントを有していると有利である。また、各締付けバンドに対して２つのガイドエレメントが、タンに設けられており、両ガイドエレメントが、靴の中心軸線に対してほぼ対称的に配置されていてもよい。伸び弾性的な各部分に対して、各締付けバンドのための１つのガイドエレメントが割り当てられていると、締付けバンドのガイドに関する利点も得られる。ガイドエレメントが、タンの上面に配置されていると有利である。
【００１５】
締付けバンドが、ほぼタンの全領域を締め付けるようになっていると、足に対する靴の特に良好なフィットが得られる。このためには、５つの締付けバンドの配置が特に有利であると分かった。
【００１６】
タンが、革、擬革、プラスチック、繊維材料または前記材料の組合せから成っていると有利である。
【００１７】
伸び弾性的な部分が、革、擬革、プラスチック、繊維材料または前記材料の組合せから成っていると有利である。
【００１８】
締付けバンドの材料として、ゴムまたはエラストマ、たとえばブタンゴム、ネオプレン、ポリウレタンまたはシリコーンが設けられていると有利である。
【００１９】
靴、特に運動靴の本発明による構成によって、靴を迅速にかつ容易に履いたり脱いだりすることが可能となる。なぜならば、結紐動作を行う必要がないからである。にもかかわらず、靴は極めて確実に足にフィットしているので、靴が不本意に足から離れる危険は少ない。
【００２０】
以下に、本発明の実施例を図面につき詳しく説明する。
【００２１】
図１に示した運動靴１は靴上側部分２を有している。この靴上側部分２は、有利には革または繊維材料から成っていてもよいし、両材料の組合せから成っていてもよい。靴１の甲領域３にはタン４が配置されている。このタン４は、十分に知られている形式で靴上側部分２の中心に延びている。タン４の側方の両領域５，６には、それぞれ１つの伸び弾性的な部分７；８が配置されている。この伸び弾性的な両部分７，８はタン４の側だけでなく、靴上側部分２の、隣接した側方の縁部にも固定されている。
【００２２】
したがって、タン４と伸び弾性的な部分７，８とによって、靴１の甲領域３を完全にカバーする構造が得られる。伸び弾性的な部分７，８の弾性によって、靴１を足に対して引き上げる、つまり、靴１を履くことが可能となる。
【００２３】
靴１が確実に足にフィット（適合）するように、図示の構成では、５つの締付けバンド９，９′，９′′，９′′′，９′′′′が設けられている。これらの締付けバンド９，９′，９′′，９′′′，９′′′′はその各端部で靴上側部分２に固定されていて、タン４だけでなく、伸び弾性的な部分７，８にもわたって張設されている。この場合、図面に見ることができるように、締付けバンド９，９′，９′′，９′′′，９′′′′はタン４のほぼ上面全体にわたって張設されている。
【００２４】
さらに、図１に見ることができるように、タン４には、ガイドループの形のガイドエレメント１３が配置されている。締付けバンド９，９′，９′′，９′′′，９′′′′は、それぞれタン４の縁部の近くに設けられた２つのガイドエレメント１３によってガイドされる。すなわち、伸び弾性的な各部分７，８に対して、各締付けバンド９，９′，９′′，９′′′，９′′′′のためのそれぞれ１つのガイドエレメント１３が割り当てられている。
【００２５】
図２には、靴１の上部構造が詳細に示してある。図２は、図１に示したＡ−Ｂ線に沿った断面図である。ここから認知することができるように、一貫して延びる弾性的なバンド１０が設けられている。この弾性的なバンド１０はタン４の側方の領域５，６で靴上側部分２の縁部に固定的に配置されている。弾性的なバンド１０の上面１２はタン４の面状の領域１１に固く結合されているので、弾性的なバンド１０は側方の領域５，６でしか弾性的に形成されておらず、したがって、伸び弾性的な部分７，８を形成することができる。
【００２６】
さらに、図２から知ることができるように、締付けバンド９，９′，９′′，９′′′，９′′′′１つにつき２つのガイドエレメント１３がタン４に配置されている。両ガイドエレメント１３は靴１の中心軸線１４に対してほぼ対称的に配置されている。
【図面の簡単な説明】
【００２７】
【図１】運動靴を概略的に三次元で示す図である。
【００２８】
【図２】図１に示したＡ−Ｂ線に沿った概略的な断面図である。
【符号の説明】
【００２９】
１  靴、  ２  靴上側部分、  ３  甲領域、  ４  タン、  ５  領域、  ６  領域、  ７  伸び弾性的な部分、  ８  伸び弾性的な部分、  ９，９′，９′′，９′′′，９′′′′  締付けバンド、  １０  弾性的なバンド、  １１  領域、  １２  上面、  １３  ガイドエレメント、  １４  中心軸線
【図１】
2005526544.tif 000003
【図２】
2005526544.tif 000004
【国際調査報告】
2005526544.tif 000005
2005526544.tif 000006
2005526544.tif 000007
2005526544.tif 000008